(57)【特許請求の範囲】
【請求項１】
上面に形成される溝内に針を進退動自在に保持してなる前後一対の針ベッドを有し、その何れか一方又は双方の針ベッドが他方の針ベッドに対し左右移動可能に構成され、少なくとも一方の針ベッド上に、その上面に形成される溝内にトランスファージャックを進退動自在に保持するトランスファージャックベッドを備えた横編機において、
先端部に形成されるループ係止部を前後針ベッド間の歯口中央線上に進出させた進出位置で下降位置と上昇位置間で移動可能に保持されるトランスファージャックと、
トランスファージャックから針への目移しにおいて、進出位置にあるトランスファージャックのループ係止部を下降位置へと下降させた後にトランスファージャックのループ係止部に係止されるループ内に針のフック裏面部を進入させ、続いてループ係止部を上昇位置へ上昇させた後に針のフック前面部をループ内に進入させるトランスファージャック制御手段と、
とを備えたことを特徴とする目移し機構を備えた横編機。
【請求項２】
前記トランスファージャック制御手段が、
トランスファージャックを歯口中央線に向け進退動させる進退動制御カムと、
トランスファージャックから針への目移しの際、
針のフック裏面部がトランスファージャックのループ係止部に係止されるループ内に進入する前に進出位置にあるトランスファージャックのループ係止部を下降位置に下降させる下げカムと、
トランスファージャックから針への目移しの際のキャリッジの移動方向において前記下げカムの後方側に設けられ、ループ内に針のフック前面部が進入する前にループ係止部を上昇位置へ上昇させる上げカムと、
を構成に含むことを特徴とする請求項１に記載の目移し機構を備えた横編機。
【請求項３】
ループ係止部に係止されるループの上側の編糸が針のフック前面部の進退軌跡の上方となる位置に上昇位置に設定し、ループ係止部に係止されるループの下側の編糸が針のフック裏面部の進退軌跡の下方となる位置に下降位置を設定したことを特徴とする請求項１または請求項２の何れかの項に記載の目移し機構を備えた横編機。
【請求項４】
前記トランスファージャック制御手段が、トランスファージャックから針への目移しの際のキャリッジの進行方向において前記上げカムの後方側に設けられ、ＴＲジャックがループから後退する際にループ係止部を下降位置に下降させる下げカムを構成に含むことを特徴とする請求項１乃至請求項３の何れか一つの項に記載の目移し機構を備えた横編機。
【請求項５】
上面に形成される溝内に針を進退動自在に保持してなる前後一対の針ベッドを有し、その何れか一方又は双方の針ベッドが他方の針ベッドに対し左右移動可能に構成され、少なくとも一方の針ベッド上に、その上面に形成される溝内にトランスファージャックを進退動自在に保持するトランスファージャックベッドを備えた横編機で、トランスファージャックから針へ目移しを行う横編機の目移し方法において、
トランスファージャックから針への目移しにおいて、進出位置にあるトランスファージャックのループ係止部を下降位置へと下降させた後にトランスファージャックのループ係止部に係止されるループ内に針のフック裏面部を進入させ、続いてループ係止部を上昇位置へ上昇させた後に針のフック前面部をループ内に進入させてトランスファージャックのループ係止部に係止されるループ内に針のフックを進入させる目移し方法。
【発明の詳細な説明】
技術分野
本発明は先端にループ係止部を有するトランスファージャック（以下ＴＲジャックと表現する）が多数植設されるトランスファージャックベッド（以下ＴＲジャックベッドと表現する）を針ベッド上に備え、ＴＲジャックベッドのＴＲジャックと針ベッドの針との間の目移し機構を備えた横編機および目移し方法に関する。
背景技術
上面に形成される溝内に針を進退動自在に保持してなる前後一対の針ベッドを有し、その何れか一方又は双方の針ベッドが他方の針ベッドに対し左右移動可能に構成され、少なくとも一方の針ベッド上に、その上面に形成される溝内にトランスファージャックを進退動自在に保持するトランスファージャックベッドを備えた横編機が日本特許登録第２７９４１４４号公報に開示されている。該公報の横編機では、ＴＲジャックベッドと針ベッドが相対的に長手方向にラッキング可能に構成され、前後の針ベッドの針間および針ベッドの針とＴＲジャックベッドのＴＲジャック間でのループの受け渡しが可能である。針ベッドの針に係止されるループをＴＲジャックベッドのＴＲジャックへと目移しし、ＴＲジャックベッドをラッキングした後、ＴＲジャックに係止されるループを針ベッドの針に移すことにより、元々ループを係止していた針の側方の針に目移しすることができる。
針からＴＲジャックに目移ししたループをＴＲジャックに係止してＴＲジャックベッドと針ベッドを相対的にラッキングすると、ループ係止部に係止されるループの上方及び下方の２本の編糸がラッキング方向に引かれる。ラッキング量が大きいほど上方と下方の編糸間の間隔が狭まり、ループに向けて進出される針が進入可能な空間が狭められ、ループ内に進入する針のフックが前記２本の編糸に衝突し糸切れや目こぼれが発生する。ループ係止部の高さ方向の厚みを大きくすることで針進入用の空間を広げられるが、細かなループを形成して編成する場合にループに負担がかかり糸切れが発生する虞がある。
上記した問題を解決する方法として、本願出願人は先に特開平１１−３２３７０３号公報に開示される横編機を先に提案した。特開平１１−３２３７０３号公報では、ＴＲジャックから針への目移しにおいてＴＲジャックに係止されるループに針が進入する際に、ＴＲジャックを水平方向に進退動させてループ内に針のフックの裏面部が進入する際にループが針のフックの裏面側に移動する方向へＴＲジャックを移動させ、ループに針のフック前面部が進入する際にループが針のフックの表面側に移動する方向にＴＲジャックを移動させる。
上記特開平１１−３２３７０３号公報の横編機では、ＴＲジャックベッドとその直下のベッドの針との目移しの際、ＴＲジャックを１度歯口中央線を越えて進出させた後、歯口中央線上に戻してループ係止部のループ内に針のフックを進入させる。そして歯口を挟んで対向する後ベッドとの目移しの際、ＴＲジャックを１度歯口中央線から後退させて移動させた後、歯口中央線上に戻すようにしてループ内に針のフックを進入させる。特開平１１−３２３７０３号公報の編機では、針のフックをループ内に進入させるために前ベッドの針と、後ベッドの針用のそれぞれのＴＲジャックに対しての軌道がキャリッジに設けられる。これにより、ＴＲジャックのループ係止部の高さ方向の厚みを大きくすることなく針進出用の空間を広げることができる。
本発明は確実なループの受け渡しが可能であって、且つループにかかる負荷を軽減できる目移しを前ベッド、後ベッドの針に対し共に働く共通の軌道のもとで行う横編機および目移し方法を開示することを目的とする。
発明の開示
上記課題を解決するため、本発明の目移し機構を備えた横編機は、上面に形成される溝内に針を進退動自在に保持してなる前後一対の針ベッドを有し、その何れか一方又は双方の針ベッドが他方の針ベッドに対し左右移動可能に構成され、少なくとも一方の針ベッド上に、その上面に形成される溝内にトランスファージャックを進退動自在に保持するトランスファージャックベッドを備えた横編機において、先端部に形成されるループ係止部を前後針ベッド間の歯口中央線上に進出させた進出位置で下降位置と上昇位置間で移動可能に保持されるトランスファージャックと、トランスファージャックから針への目移しにおいて、進出位置にあるトランスファージャックのループ係止部を下降位置へと下降させた後にトランスファージャックのループ係止部に係止されるループ内に針のフック裏面部を進入させ、続いてループ係止部を上昇位置へ上昇させた後に針のフック前面部をループ内に進入させるトランスファージャック制御手段、とを備えたことを特徴とする。上記した発明の構成によれば、ＴＲジャックから針への目移しの際に、進出位置にあるトランスファージャックのループ係止部を下降位置へと下降させた後にトランスファージャックのループ係止部に係止されるループ内に針のフック裏面部が進入し、針のフック裏面部がループ係止部の下方に渡っている編糸に衝突することなくループに進入する。続いてループ係止部を上昇位置へ上昇させた後に針のフック前面部がループ内に進入するので、針のフック前面部がループ係止部の上方に渡っている編糸に衝突することなくループ内に進入する。このように本発明の横編機ではＴＲジャックと前ベッドの目移しとＴＲジャックと後ベッドの目移しを共通の軌道により行うことができ、ＴＲジャックからＴＲジャックが後退する時のループの位置が下がり、ループに掛かる負荷が軽減される。
また、前記トランスファージャック制御手段が、トランスファージャックを歯口中央線に向け進退動させる進退動制御カムと、トランスファージャックから針への目移しの際、針のフック裏面部がトランスファージャックのループ係止部に係止されるループ内に進入する前に進出位置にあるトランスファージャックのループ係止部を下降位置に下降させる下げカムと、トランスファージャックから針への目移しの際のキャリッジの移動方向において前記下げカムの後方に設けられ、ループ内に針のフック前面部が進入する前にループ係止部を上昇位置へ上昇させる上げカムとを構成に含むことも特徴の一つである。上記した発明の構成によれば、ＴＲジャックから針への目移しの際に、ループ内に針のフック裏面部が進入する前に下げカムがＴＲジャックに押し下げ作用してループ係止部を押し下げ、続いてループ内に針のフック前面部が進入する前に上げカムが押し上げ作用してループ係止部を上昇位置に押し上げる。
また、ループ係止部に係止されるループの上側の編糸が針のフック前面部の進退軌跡の上方となる位置に上昇位置に設定し、ループ係止部に係止されるループの下側の編糸が針のフック裏面部の進退軌跡の下方となる位置に下降位置を設定したことも特徴の一つである。上記した発明の構成によれば、ループに向けて進出される針のフックが、ループ係止部の下方に渡っている編糸およびループ係止部の上方に渡っている編糸に衝突せずフックを確実にループに進入させることができる。
また、前記トランスファージャック制御手段が、トランスファージャックから針への目移しの際のキャリッジの進行方向において前記上げカムの後方側に設けられ、ＴＲジャックがループから後退する際にループ係止部を下降位置に下降させる下げカムを構成に含むことも特徴の一つである。上記した発明の構成によれば、ＴＲジャックから下部針ベッドへの目移しの際に、針に受け渡されたループからＴＲジャックが後退する時に、ループの位置を下げることでループにかかる負荷が軽減されスムーズな受け渡しが行える。また、針の表面側から裏面側にループが移動された状態でＴＲジャックが後退し、針のフックがループを確実に係止する。
本発明の横編機の目移し方法は、上面に形成される溝内に針を進退動自在に保持してなる前後一対の針ベッドを有し、その何れか一方又は双方の針ベッドが他方の針ベッドに対し左右移動可能に構成され、少なくとも一方の針ベッド上に、その上面に形成される溝内にトランスファージャックを進退動自在に保持するトランスファージャックベッドを備えた横編機で、トランスファージャックから針へ目移しを行う横編機の目移し方法において、トランスファージャックから針への目移しにおいて、進出位置にあるトランスファージャックのループ係止部を下降位置へと下降させた後にトランスファージャックのループ係止部に係止されるループ内に針のフック裏面部を進入させ、続いてループ係止部を上昇位置へ上昇させた後に針のフック前面部をループ内に進入させてトランスファージャックのループ係止部に係止されるループ内に針のフックを進入させることを特徴とする。
発明を実施するための最良の形態
本発明の実施例を説明する。第１図〜第３図を使用して横編機の構成を説明する。横編機１は、前後一対に対向配置される下部針ベッド３ａ，３ｂと、前方の下部ニードルベッド（以下前ベッド３ａとする）の上方に設けられ、上面に形成されるＴＲジャック溝５内にＴＲジャック７を保持するＴＲジャックベッド９を備える。下部針ベッド３ａ，３ｂはニードルベッド基板１３上に形成した溝内にニードルプレート１７を立設し、隣接するニードルプレート１７・１７間に針溝１５を形成し、各針溝１５・１５内に針１９を前後針ベッド間の歯口中央線Ｗ−Ｗに向けて進退動可能に保持する。後方の針ベッド３ｂ（以下、後ベッド３ｂとする）は図示せぬ駆動手段により針ベッドの長手方向に移動（以下、ラッキングと表現する）可能に構成される。
本実施例では針溝内に装着される針１９が、後端部に形成される凹部２１と係合する凸部２３が形成されるニードルジャック２５の図示せぬバットと、スライダー２９のバット３１がニードルベッド上を左右反転走行する前後一対のキャリッジ３３ａ，３３ｂ上のカム３５ａ，３５ｂ，３７ａ，３７ｂにより進退動されてフックの開閉を行うスライダーニードルを使用する場合を説明するが、ベラ針を使用することも可能である。スライダー２９は薄板状のプレート２枚を重ねて形成され、スライダー２９先端が針１９のフック３９に向け進出することで、針１９のフック３９によりスライダー２９が左右に押し広げられ目移し用の空間が形成される。左右に押し広げられたループは肩部４１に係止されて目移し位置へと上昇される。針１９はニードルベッド３ａ，３ｂの長手方向に装着した帯金４３ａ，４３ｂにより針溝１５内に保持される。ニードルジャック２５は図示せぬセレクトジャック、セレクタと共に針溝内に装着され、キャリッジ３３ａ，３３ｂのプレッサーにより針溝１５内に没入する方向に押圧されることでバットがキャリッジ３３ａ，３３ｂ上のカムに係合しない位置へと没入される。
前後両針ベッド３３ａ，３３ｂ間の歯口４５にはシンカープレート４７ａ，４７ｂが針１９・１９間に設けられる。ＴＲジャックベッド９は前ベッド３ａに装着した所定枚数置きのニードルプレート１７を上方に延長し、該延長部分４９をＴＲジャックベッド９の支持部とする。ＴＲジャックベッド９は下部ニードルベッド３ａ，３ｂの針溝１５と同ピッチで形成したＴＲジャック溝５内にＴＲジャック７を保持し、ＴＲジャックベッド９の長手方向に装着した帯金５１によりＴＲジャックベッド溝５内に保持する。ＴＲジャック７は先端部にループ係止部５３が、後端部に選針用バット５５ａ，５５ｂが形成され、ベンド部５７によりＴＲジャック溝５の側壁に押し当てられ妄動が防止される。ＴＲジャック７は上面に先端側が高く尾部側が低い傾斜面５９と、底面に形成され先端に向かって高くなる傾斜面６１を有し、ＴＲジャック７が歯口側に進出することでＴＲジャック溝内で揺動可能に保持される。ＴＲジャック７の上面にはキャリッジ３３ａ，３３ｂ上のカムがその前面および後面に当接作用する進退動制御用バット６５と、前記ＴＲジャック７のベンド部５７を挟んでＴＲジャック７の先端側に設けられる下げカム作用部６７と、後端側に設けられる上げカム作用部６９が形成される。ＴＲジャック７はループ係止部５３が前後針ベッド間の歯口上方に進出した状態で、下げカム作用部６７にキャリッジ上の下げカム８５が作用することでループ係止部５３が下降する方向に揺動し、上げカム作用部６９に上げカム８９が作用することでループ係止部５３が上昇する方向に揺動する。ＴＲジャック下面の膨出部７４はＴＲジャックが後退した時にＴＲジャック先端を上昇位置へと押し上げる。ＴＲジャックベッド９には、異なる位置にバット５５ａ，５５ｂが形成された２種類のＴＲジャック７を、同じ位置にバットが形成された数枚のＴＲジャック７を一群として１インチ毎に交互に配置される。ＴＲジャック７はキャリッジの移動方向の異なる位相に設けた選針手段７９ａ，７９ｂにより選択されたＴＲジャック７が歯口４５に向けて進退動される。
キャリッジ３３ａ，３３ｂに設けられるＴＲジャック制御カム８１は、第１カム群８１ａと第２カム群８１ｂからなる。第１カム群８１ａは前記ＴＲジャック７の下げカム作用部６７に作用し、第２カム群８１ｂは進退制御用バット６５及び上げカム作用部６９に作用する。第１カム群８１ａは厚みの小さいベース部８３と厚みの大きい下げカム部８５からなる。下げカム部８５はキャリッジの移動方向において後述する上げカム８９ａを挟んで設けられる第１下げカム８５ａと第２下げカム８５ｂの２つのカムからなる。第１下げカム８５ａおよび第２下げカム８５ｂはキャリッジの移動方向の両端及び針の進退方向の下端にベース部８３と下げカム面８５を結ぶ斜面が形成され、ＴＲジャック７の下げカム作用部６７は斜面に沿ってベース部８３と下げカム作用部８５間を移動できる。第２カム部８１ｂはガイドカム８７、８９、９１から構成され、ガイドカム８７とガイドカム８９間に進出位置に選択されたＴＲジャック７の進退動制御用バット６５の軌道９３を、ガイドカム８９とガイドカム９１間に非進出位置に選択されたＴＲジャックの軌道９５を形成する。ガイドカム８９上の上げカム部８９ａは、キャリッジ３３ａ，３３ｂの移動方向の両端にガイドカム８９のベース部８９と上げカム部８９ａを結ぶ斜面が形成され、上げカム作用部６９は斜面に沿ってベース部８９と上げカム部８９ａ間を移動でき、ＴＲジャックから針への目移しの際のキャリッジの移動方向において前記下げカム８５ａの後方に設けられる。選針アクチュエータ７９ａ，７９ｂはキャリッジの移動方向において中央部が高く両端が低い作用面９７ａ，９７ｂを有し、目移しを行うＴＲジャック群７・７が選針アクチュエータ７９ａ，７９ｂを通過する際に不作用位置から作用位置へと変位させ、作用面９７ａ，９７ｂでバット５５ａ，５５ｂを軌道１０３へと進出させる。目移ししないＴＲジャックが通過する際には選針アクチュエータ７９ａ，７９ｂを不作用位置に保持し、ＴＲジャックは進出されることなく軌道１０１を通過し、進出位置に選択されたＴＲジャックの押し下げ作用部６７は軌道１０５に沿って移動する。
第３図〜第４図を使用して後方の針ベッド３ｂの針１９ｂからＴＲジャック７への目移しを説明する。第４図の▲１▼〜▲４▼は第３図において下げカム作用部６７、進退制御用バット６５、上げカム作用部６９が▲１▼〜▲４▼に達した時のＴＲジャック７と針１９ｂを示す図である。第３図の矢印Ｘはキャリッジ３３ａの進行方向を示し、下げカム作用部６７、進退制御用バット６５、上げカム作用部６９は左から右に向かって移動する。
以下の説明では、後ベッド３ｂの針１９ｂに係止されるループをＴＲジャックに目移しし、後ベッドをラッキングした後、隣接する後ベッドの針１９ｂに目移しする編成を説明する。
目移しを行うコースでＴＲジャック７が左から右に向かって移動し、第３図の▲１▼に達すると、ループを受け渡す側の針１９ｂは、ループ１１１が針１９のフック３９から出てスライダー２９の肩部４１に係止されて目移し位置へと上昇される。ループ１１１を受け取るＴＲジャック７は、選択されたＴＲジャック７のバット５５ａ，５５ｂが選針アクチュエータ７９ａ，７９ｂの作用面９７ａ，９７ｂに当接し、歯口に向けて進出が開始される。▲２▼の位置では、針１９ｂのスライダー２９が更に上昇され、ＴＲジャック７はガイドカム８７，８９により進出されるとともに、第２下げカム８５ａが下げカム作用部６７に作用し、第３図において時計回り方向に揺動され、ループ係止部５３を下降位置に下げた状態でループ１１１に向かって進出される。▲３▼の位置ではループ係止部５３が進出位置に進出されループ係止部５３がループ１１１内に進入されるとともに、上げカム８９ａが上げカム作用部６９に作用し、反時計回り方向に揺動されループ係止部５３が上昇位置へと上昇される。▲４▼の位置では、針１９ｂの下降が開始され、針１９ｂからＴＲジャック７にループ１１１が受け渡されるとともに、第１下げカム８５ａによりループ係止部５３は再度下降位置へと下降され、ループ係止部５３は下降位置のままキャリッジ３３ａ、３３ｂを通過する。ＴＲジャックがキャリッジ３３ａ，３３ｂから抜けた状態では、続く編成によりキャリッジ３３ａ，３３ｂが反転しＴＲジャックから針への目移し行われるまでの間、ループ係止部５３は下降位置に下降した状態を維持する。
つぎにＴＲジャック７から後ベッド３ｂの針１９ｂへの目移しを第５図〜第９図を使用して説明する。後ベッド３ｂの針１９ｂからＴＲジャック７への目移し完了後、後ベッド１３ｂがラッキングされ、続いてキャリッジ３３ａ，３３ｂが反転し矢印Ｙ方向への走行が開始される。ＴＲジャック７が第５図の▲５▼に達すると、ＴＲジャック７のループ係止部５３が歯口中央線Ｗ−Ｗ上に進出したままループ係止部５３は下降位置を維持する。ループ１１１を受け取る針１９ｂは進出を開始し、ループ１１１とスライダー２９により形成される空間内に向けてフック３９が進出される。この時、ラッキングによりＴＲジャックに係止されるループ１１１は第７図に示すように側方に引かれ、ループ１１１を構成する上方の編糸１１１ａと、下方の編糸１１１ｂがループ係止部５３の上下に渡る。針のフック３９にループ１１１を係止するには、編糸１１１ａが針１９ｂの表面側に、編糸１１１ｂが裏面側に回り込むようにフック３９を進入させる必要があり、前記ＴＲジャックの下降位置は針１９ｂの裏面部の進退軌跡を示す直線Ｒよりも下方に設定するのが好ましい。しかしながら、直線Ｒより上方であっても、針１９ｂのフック先端に当接した編糸１１１ｂが針の表面側に回り込まなければよい。
▲６▼の位置では、上げカム作用部６９に上げカム８９ａが作用し、ＴＲジャック７は反時計回り方向に揺動され、ＴＲジャック７のループ係止部５３は下降位置から上昇位置へと上昇され、針１９ｂのフック３９がループ１１１と接触することなくループ１１１内に進入される。上昇位置のループ係止部５３の位置は、ループ１１１の上側の編糸１１１ａが、ループ１１１に向かって進出する針１９ｂのフック３９の前面部３９ａの進退軌跡より高く設定するのが好ましい。しかしながら、進退軌跡より下方であっても針１９ｂのフック３９に当接した編糸１１１ｂが針１９ｂの裏面側に回り込まない位置であればよい。▲７▼の位置では、ガイドカム８７，８９によりＴＲジャック７の後退が開始され、第２下げカム８５ｂがＴＲジャック７の下げカム作用部６７に作用し時計回り方向に揺動される。これによりループ１１１が針１９ｂのフック３９の裏面部３９ｂの軌跡より低い下降位置に下げられ、針のフック３９が確実にループ１１１を係止する。▲８▼の位置ではＴＲジャック７が更に後退し、ＴＲジャック７の膨出部７４がＴＲジャック溝５の上面に接し、ＴＲジャック７のループ係止部５３は上昇位置へと戻され、ループ１１１がＴＲジャック７から開放されてＴＲジャック７から針１９ｂへの目移しが完了する。
上記したように、本実施例の横編機１では、第８−ａ図に示すように、ＴＲジャック７から針１９ｂへの目移しの際に、ループ係止部５３が下降位置に下げられた後にループ１１１内に針１９ｂの裏面部３９ｂが進入する。ループ１１１のループ係止部５３の下側を渡っている糸１１１ｂは、ループ係止部５３が上昇位置にある時の編糸１１１、ｂを通る針１９ｂの進退軌道と平行な直線Ｅと下降位置にある時の編糸１１１ｂを通る針１９ｂの進退軌道と平行な直線Ｆの間隔Ｇに相当する分、針のフック裏面部３９ｂ側に移動した状態でループ１１１内に進入し、針１９ｂの裏面部３９ｂがループ係止部５３の下側に渡っている編糸１１１ｂに衝突しない。続いて第８−ｂ図に示すように、ループ係止部５３が上昇位置に上昇された後に針の前面部３９ａがループ１１１内に進入する。ループ１１１の上側を渡る編糸１１１ａは、ループ係止部５３が下降位置にある時の編糸１１１ａを通る針１９ｂのフック裏面部３９ｂの進退軌跡と平行な直線Ｈと、上昇位置にある時のループを通る針１９ｂのフック裏面部３９ｂ進退軌道と平行な直線Ｉの間隔Ｊに相当する分、針の前面部３９ａ側に移動した状態でループ１１１内に進入し、、針１９ｂの前面部３９ａがループ係止部５３の上方に渡っている編糸１１１ａに衝突しない。ＴＲジャックから針への目移しの際に、ＴＲジャック７を歯口中央線上から前後動させることでループ係止部の上下に渡っている編糸を針のフックの表面側または裏面側に移動させて目移しを行った場合には、隣接するＴＲジャックに係止されるループの位置が前後にずれ、ループ同士が引き合いループ係止部からループがこぼれ落ちる虞がある。しかし本実施例の横編機では編糸を針の表面側および裏面側に移動させる動きを歯口中央線上での上下動により行うので、ループ係止部からループがこぼれ落ちる虞がない。なお、直線Ｋはループ係止部５３が下降位置にある時の上側の編糸１１１ａを通る水平な直線であり、直線Ｌはループ係止部５３が上昇位置にある時の編糸１１１ａを通る水平な直線である。
また、ＴＲジャックから針へ受け渡されたループからＴＲジャックが後退する際には、第９−ａ図に示す上昇位置から第９−ｂ図に示す下降位置へと下げカム８５ｂによりループ係止部５３が下降される。ループ係止部５３の位置が下がることで、ループ１１１がループ係止部５３から抜ける時にループ１１１にかかる負荷が軽減され、ループ１１１がスムーズに受け渡される。また、上昇位置にある時のループ係止部５３の上側に渡る編糸１１１ａを通る針１９ｂのフック前面部３９ａの進退軌跡と平行な直線Ｍと、下降位置にある時の編糸１１１ａを通る針１９ｂのフック前面部３９ａの進退軌跡と平行な直線Ｎの間隔Ｏに相当する分、針１９ｂの裏面側にループが移動した状態で針１９ｂが下降される。したがって、針のフック３９が確実にループ１１１を係止し目落ちの発生が防止される。直線Ｐはループ係止部５３が下降位置にある時の編糸１１１ａを通る水平な直線であり、直線Ｑはループ係止部５３が上昇位置にある時の編糸１１１ａを通る水平な直線である。
なお、上記実施例ではＴＲジャック７と後ベッド１３ｂ間での目移しの場合を説明したが、ＴＲジャック７と前ベッド１３ａの針１９ａ間の目移しにおいてもＴＲジャック７は後ベッド１３ｂとの目移しと同じ軌道でループ１１１の受け渡しを行うため、前ベッド１３ａとの目移し用の軌道と後ベッド１３ｂとの目移し用の軌道を別々に設ける必要がない。したがって、前ベッド用と後ベッド用の軌道を別個に設ける場合に比べ装置の構成を簡略化し、キャリッジ移動方向の長さを小さくできる。第１０−ａ図及び第１０−ｂ図は第８−ａ図及び第８−ｂ図に相当する図であり、第１０−ａ図はＴＲジャックベッドから前ベッド３ａへの目移しの際に、針１９ａのフック前面部３９ａがループ１１１内に進入する時のＴＲジャック７と針１９ａを示し、第１０−ｂ図は針１９ａのフック前面部３９ａがループ内に進入する時のＴＲジャック７と針１９ａを示す。直線Ｒは下降位置にある時の下側の編糸１１１ｂを通る針１９ａのフック裏面部３９ｂの進退軌跡と平行な直線であり、直線Ｓは上昇位置にある時の編糸１１１ｂを通る針１９ａのフック裏面部３９ｂの進退軌跡と平行な直線であり、直線Ｔはループ係止部５３が上昇位置にある時の上側の編糸１１１ａを通る針１９ａのフック前面部３９ａの進退軌跡と平行な直線であり、直線Ｕはループ係止部５３が上昇位置にある時の編糸１１１ａを通る針１９ａのフック前面部３９ａの進退軌跡と平行な直線である。なお、図示せぬが、第９図を使用して説明された針が下降する際にループ係止部の位置を下げ、ループが確実に針のフックに係止されるようにする作用・効果もＴＲジャックベッド９からその下方に位置する前ベッド１３ａの針１９ａとの目移しにおいても発揮される。
上記実施例では固定式シンカーを設けた例で説明を行ったが、可動シンカーを設けた横編機においても実施可能である。また、上記実施例では前ベッド３ａ上にのみＴＲジャックベッドを設けたが、後ベッド３ｂ上にもＴＲジャックベッドを設けてもよい。また、上記実施例では下げカム８５や上げカム８９を固定式カムで構成したが、これらのカムを出没式カムのような可動式のカムにより構成することも可能である。さらに、上記実施例では、ＴＲジャック制御手段を上げカムおよび下げカムにより構成した場合を説明したが、例えば、ＴＲジャックのループ係止部を常時上昇位置に向かって付勢する付勢手段と、該付勢手段の付勢力に抗しループ係止部を下降位置へ押し下げる下げカムによりＴＲジャック制御手段を構成したり、逆にループ係止部を常時下降位置に向かって付勢する付勢手段と上昇位置へ押し上げる上げカムによりＴＲジャック制御手段を構成してもよい。このように本実施例の横編機の各部の構成を上記実施例と異なったものとすることができる。
産業上の利用可能性
上記したように本発明によれば、ＴＲジャックから針への目移しの際に、ＴＲジャックのループ係止部に係止されるループ内に針のフック裏面部がループ係止部の下方に渡っている編糸に衝突することなくループに進入し、針のフック前面部がループ係止部の上方に渡っている編糸に衝突することなくループ内に進入できるので確実なループの受け渡しを前ベッド、後ベッドの針に対し共に働く共通の軌道のもとで行うことができる。
【図面の簡単な説明】
第１図は本発明の実施例に係る目移し機構を備えた横編機の縦断面図である。第２図は第１図の部分拡大図である。第３図は針からＴＲジャックへの目移しの際のＴＲジャック制御カムを下面から見た図である。第４図はＴＲジャックが第３図の▲１▼〜▲４▼にある時の針とＴＲジャックを示す図である。第５図はＴＲジャックから針への目移しの際のＴＲジャック制御カムを下面から見た図である。第６図はＴＲジャックが第５図の▲５▼〜▲８▼にある時の針とＴＲジャックを示す図である。第７−ａ図は下降位置にあるＴＲジャックと針の先端部を示す図であり、第７−ｂ図は第７−ａ図の一点鎖線Ｖ−Ｖ箇所の矢視方向の断面図である。第８−ａ図はＴＲジャックへから後ベッド３ｂの針１９ｂへの目移しの際のループ係止部が下降位置にあるＴＲジャックと針を示す図であり、第８−ｂ図はループ係止部が上昇位置にあるＴＲジャックと針を示す図である。第９−ａ図はＴＲジャックから後ベッドの針への目移しの際のループ係止部が上昇位置にあるＴＲジャックと針を示す図であり、第９−ｂ図はループ係止部が下降位置にあるＴＲジャックと針を示す図である。第１０−ａ図は前ベッドの針からＴＲジャックへの目移しの際のループ係止部が下降位置にあるＴＲジャックと針を示す図であり、第１０−ｂ図はループ係止部が上昇位置にあるＴＲジャックと針を示す図である。
【図１】
0003886807.tif 000002
【図２】
0003886807.tif 000003
【図３】
0003886807.tif 000004
【図４】
0003886807.tif 000005
【図５】
0003886807.tif 000006
【図６】
0003886807.tif 000007
【図７】
0003886807.tif 000008
【図８】
0003886807.tif 000009
【図９】
0003886807.tif 000010
【図１０】
0003886807.tif 000011